(57)【要約】【課題】簡易な構成によりスペックルを十分に低減可能なスクリーン、及びそのスクリーンを用いるプロジェクタを提供すること。【解決手段】二次元方向に沿って設けられ、入射光を散乱させる散乱部を有し、散乱部は、第１の位置と、二次元方向に略直交する方向について第１の位置とは異なる位置である第２の位置とで、入射光を散乱させる位置を変化させ、第１の位置で入射光を散乱させる第１散乱層である第１液晶層３３と、第２の位置で入射光を散乱させる第２散乱層である第２液晶層３７と、を有する。【選択図】図３
2008076483.tif 000002
【特許請求の範囲】
【請求項１】
二次元方向に沿って設けられ、入射光を散乱させる散乱部を有し、
前記散乱部は、第１の位置と、前記二次元方向に略直交する方向について前記第１の位置とは異なる位置である第２の位置とで、前記入射光を散乱させる位置を変化させることを特徴とするスクリーン。
【請求項２】
前記散乱部は、前記第１の位置で前記入射光を散乱させる第１散乱層と、前記第２の位置で前記入射光を散乱させる第２散乱層と、を有し、
前記第１散乱層は、液晶分子を分散させた液晶層を備えることを特徴とする請求項１に記載のスクリーン。
【請求項３】
前記第１散乱層は、液晶分子を分散させた第１液晶層を備え、
前記第２散乱層は、液晶分子を分散させた第２液晶層を備えることを特徴とする請求項２に記載のスクリーン。
【請求項４】
前記第２散乱層は、前記入射光を散乱させる散乱板を備えることを特徴とする請求項２に記載のスクリーン。
【請求項５】
複数の前記散乱板を備えることを特徴とする請求項４に記載のスクリーン。
【請求項６】
前記液晶層へ電圧を印加させる第１電極及び第２電極を有し、
前記第１電極は、第１の方向に長手方向を有する形状をなし、かつ前記第１の方向に略直交する第２の方向に並列され、
前記第２電極は、前記第２の方向に長手方向を有する形状をなし、かつ前記第１の方向に並列されることを特徴とする請求項２〜５のいずれか一項に記載のスクリーン。
【請求項７】
前記入射光を透過させることを特徴とする請求項１〜６のいずれか一項に記載のスクリーン。
【請求項８】
前記入射光を反射させることを特徴とする請求項１〜６のいずれか一項に記載のスクリーン。
【請求項９】
請求項７に記載のスクリーンを有することを特徴とするプロジェクタ。
【発明の詳細な説明】
【技術分野】
【０００１】
本発明は、スクリーン及びプロジェクタ、特に、プロジェクタによる画像表示におけるスペックルを低減させるためのスクリーンの技術に関する。
【背景技術】
【０００２】
画像信号に応じて変調された光により画像を表示する際、光の干渉により明点及び暗点がランダムに分布するスペックルが発生する場合がある。スペックルは、ぎらぎらとするちらつき感を観察者へ与え、画像観賞へ悪影響を及ぼす原因となる。レーザ光はコヒーレンスが高いことから、光源としてレーザを用いる場合、スペックルは特に発生し易くなる。従来、スペックルを低減させるための技術は、例えば、特許文献１及び特許文献２に提案されている。
【０００３】
【特許文献１】特開２００５−１０７１５０号公報
【特許文献２】特開２０００−８１６０２号公報
【発明の開示】
【発明が解決しようとする課題】
【０００４】
近年、プロジェクタは、大画面化の傾向が顕著である。特許文献１に提案される技術のようにスクリーンを振動させる構成の場合、大型なスクリーンにも対応可能とするにはスクリーンを振動させる大掛かりな機構が必要となる。大掛かりな機構が必要となる上、信頼性を考慮すると、かかる構成を取り入れることは困難である。特許文献２に提案される技術では、液晶材料の上下に設けられた電極の電位を周期的に反転させることにより、入射光をそのまま透過させる状態と入射光を散乱させる状態とにスクリーンを変化させる。この場合、散乱が最大となるときのスペックルパターンと散乱が最小となるときのスペックルパターンとが平均化された状態で認識され易くなる。よって、特定のスペックルパターンを認識させにくくする効果が低減されてしまう。このように、従来の技術によると、簡易な構成によりスペックルの十分な低減を図ることが困難であるという問題を生じる。本発明は、上述の問題に鑑みてなされたものであり、簡易な構成によりスペックルを十分に低減可能なスクリーン、及びそのスクリーンを用いるプロジェクタを提供することを目的とする。
【課題を解決するための手段】
【０００５】
上述した課題を解決し、目的を達成するために、本発明によれば、二次元方向に沿って設けられ、入射光を散乱させる散乱部を有し、散乱部は、第１の位置と、二次元方向に略直交する方向について第１の位置とは異なる位置である第２の位置とで、入射光を散乱させる位置を変化させることを特徴とするスクリーンを提供することができる。
【０００６】
「第１の位置と第２の位置とで入射光を散乱させる位置を変化させる」とは、第１の位置及び第２の位置で交互に散乱させる場合の他、第１の位置及び第２の位置で同時に散乱させる状態と、第１の位置及び第２の位置のいずれか一方で散乱させる状態とに交互に変化させる場合を含む。散乱部に略直交する方向について入射光を散乱させる位置を変化させることにより、特定の１箇所において入射光の散乱及び透過を繰り返す場合と比較して、散乱の状態をランダムに変化させることができる。散乱の状態をランダムに変化させることにより、スペックルの十分な低減が可能となる。散乱部は、例えば、電気的な駆動手段を用いる液晶層を用いる構成とすることができる。このため、大掛かりな機構や複雑な構成を用いることなくスペックルの低減を図れる。これにより、簡易な構成によりスペックルを十分に低減可能なスクリーンを得られる。
【０００７】
また、本発明の好ましい態様としては、散乱部は、第１の位置で入射光を散乱させる第１散乱層と、第２の位置で入射光を散乱させる第２散乱層と、を有し、第１散乱層は、液晶分子を分散させた液晶層を備えることが望ましい。第１散乱層と第２散乱層とを用いることにより、散乱部は、第１の位置と第２の位置とで、入射光を散乱させる位置を変化させることができる。
【０００８】
また、本発明の好ましい態様としては、第１散乱層は、液晶分子を分散させた第１液晶層を備え、第２散乱層は、液晶分子を分散させた第２液晶層を備えることが望ましい。第１液晶層と第２液晶層とを用いることにより、散乱部は、第１の位置及び第２の位置で交互に入射光を散乱させることができる。
【０００９】
また、本発明の好ましい態様としては、第２散乱層は、入射光を散乱させる散乱板を備えることが望ましい。液晶層と散乱板とを用いることにより、散乱部は、第１の位置及び第２の位置で同時に散乱させる状態と、第２の位置で散乱させる状態とに交互に変化させることができる。
【００１０】
また、本発明の好ましい態様としては、複数の散乱板を備えることが望ましい。これにより、さらにスペックルの低減ができる。
【００１１】
また、本発明の好ましい態様としては、液晶層へ電圧を印加させる第１電極及び第２電極を有し、第１電極は、第１の方向に長手方向を有する形状をなし、かつ第１の方向に略直交する第２の方向に並列され、第２電極は、第２の方向に長手方向を有する形状をなし、かつ第１の方向に並列されることが望ましい。第１電極及び第２電極への電圧印加を適宜制御することにより、スペックルパターンを複雑に変化させることができる。これにより、さらにスペックルの低減ができる。
【００１２】
また、本発明の好ましい態様としては、入射光を透過させることが望ましい。これにより、スクリーンの透過光におけるスペックルを低減できる。
【００１３】
また、本発明の好ましい態様としては、入射光を反射させることが望ましい。これにより、スクリーンの反射光におけるスペックルを低減できる。
【００１４】
さらに、本発明によれば、上記のスクリーンを有することを特徴とするプロジェクタを提供することができる。上記のスクリーンを用いることにより、簡易な構成によりスペックルを十分に低減できる。これにより、簡易な構成によりスペックルが低減された高品質な画像を表示可能なプロジェクタを得られる。
【発明を実施するための最良の形態】
【００１５】
以下に図面を参照して、本発明の実施例を詳細に説明する。
【実施例１】
【００１６】
図１は、本発明の実施例１に係るプロジェクタ１０の概略構成を示す。プロジェクタ１０は、スクリーン１５の一方の面に光を投写し、スクリーン１５の他方の面から出射する光を観察することにより画像を鑑賞するリアプロジェクタである。光学エンジン部１１は、画像信号に応じて変調された光を供給する。
【００１７】
図２は、光学エンジン部１１の概略構成を示す。赤色（Ｒ）光用光源部２０Ｒは、赤色のレーザ光を供給する半導体レーザである。Ｒ光用光源部２０ＲからのＲ光は、発散レンズ２１で発散された後、コリメータレンズ２２で平行化される。コリメータレンズ２２からの光は、２つのインテグレータレンズ２４、２５を透過する。第１インテグレータレンズ２４及び第２インテグレータレンズ２５は、アレイ状に配列された複数のレンズ素子を有する。第１インテグレータレンズ２４は、Ｒ光用光源部２０Ｒからの光束を複数に分割する。第１インテグレータレンズ２４の各レンズ素子は、Ｒ光用光源部２０Ｒからの光束を第２インテグレータレンズ２５のレンズ素子近傍で集光させる。第２インテグレータレンズ２５のレンズ素子は、第１インテグレータレンズ２４のレンズ素子の像をＲ光用空間光変調装置２９Ｒ上に形成する。
【００１８】
２つのインテグレータレンズ２４、２５を経た光は、偏光変換素子２６で特定の振動方向を有する偏光光、例えばｓ偏光光に変換される。重畳レンズ２７は、第１インテグレータレンズ２４の各レンズ素子の像をＲ光用空間光変調装置２９Ｒ上で重畳させる。第１インテグレータレンズ２４、第２インテグレータレンズ２５及び重畳レンズ２７は、Ｒ光用光源部２０ＲからのＲ光の強度分布をＲ光用空間光変調装置２９Ｒ上にて均一化させる均一化部を構成する。フィールドレンズ２８は、重畳レンズ２７からのＲ光を平行化し、Ｒ光用空間光変調装置２９Ｒへ入射させる。
【００１９】
Ｒ光用空間光変調装置２９Ｒは、Ｒ光を画像信号に応じて変調する透過型の液晶表示装置である。Ｒ光用空間光変調装置２９Ｒに設けられた不図示の液晶パネルは、２つの透明基板の間に、画像表示のための液晶層を封入する。液晶パネルに入射したｓ偏光光は、画像信号に応じた変調によりｐ偏光光に変換される。Ｒ光用空間光変調装置２９Ｒは、変調によりｐ偏光光に変換されたＲ光を出射する。Ｒ光用空間光変調装置２９Ｒで変調されたＲ光は、色合成光学系であるクロスダイクロイックプリズム３０へ入射する。
【００２０】
緑色（Ｇ）光用光源部２０Ｇは、緑色のレーザ光を供給する半導体レーザである。Ｇ光用光源部２０ＧからのＧ光は、Ｒ光の場合と同様に発散レンズ２１からフィールドレンズ２８までの各光学素子を経た後、Ｇ光用空間光変調装置２９Ｇへ入射する。Ｇ光用空間光変調装置２９Ｇは、Ｇ光を画像信号に応じて変調する透過型の液晶表示装置である。Ｇ光用空間光変調装置２９Ｇに入射したｓ偏光光は、液晶パネルでの変調によりｐ偏光光に変換される。Ｇ光用空間光変調装置２９Ｇは、変調によりｐ偏光光に変換されたＧ光を出射する。Ｇ光用空間光変調装置２９Ｇで変調されたＧ光は、クロスダイクロイックプリズム３０へ入射する。
【００２１】
青色（Ｂ）光用光源部２０Ｂは、青色のレーザ光を供給する半導体レーザである。Ｂ光用光源部２０ＢからのＢ光は、Ｒ光の場合と同様に発散レンズ２１からフィールドレンズ２８までの各光学素子を経た後、Ｂ光用空間光変調装置２９Ｂへ入射する。Ｂ光用空間光変調装置２９Ｂは、Ｂ光を画像信号に応じて変調する透過型の液晶表示装置である。Ｂ光用空間光変調装置２９Ｂに入射したｓ偏光光は、液晶パネルでの変調によりｐ偏光光に変換される。Ｂ光用空間光変調装置２９Ｂは、変調によりｐ偏光光に変換されたＢ光を出射する。Ｂ光用空間光変調装置２９Ｂで変調されたＢ光は、クロスダイクロイックプリズム３０へ入射する。
【００２２】
クロスダイクロイックプリズム３０は、互いに略直交するように配置された２つのダイクロイック膜３０ａ、３０ｂを有する。第１ダイクロイック膜３０ａは、Ｒ光を反射し、Ｇ光及びＢ光を透過させる。第２ダイクロイック膜３０ｂは、Ｂ光を反射し、Ｒ光及びＧ光を透過させる。クロスダイクロイックプリズム３０は、それぞれ異なる方向から入射したＲ光、Ｇ光及びＢ光を合成し、投写レンズ１２の方向へ出射させる。
【００２３】
透過型液晶表示装置としては、例えば高温ポリシリコンＴＦＴ液晶パネル（High  Temperature  Polysilicon；ＨＴＰＳ）を用いることができる。光学エンジン部１１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。
【００２４】
図１に戻って、投写レンズ１２は、光学エンジン部１１からの光をミラー１３の方向へ投写する。ミラー１３は、筐体１６の背面部に設けられている。ミラー１３は、反射により投写レンズ１２からの光をスクリーン１５の方向へ折り曲げる。ミラー１３は、略平坦な平面形状を有する。ミラー１３は、平行平板上に反射膜を形成することにより構成できる。反射膜としては、高反射性の部材の層、例えばアルミニウム等の金属部材の層や誘電体多層膜等を用いることができる。
【００２５】
ミラー１３からの光は、スクリーン１５へ入射する。スクリーン１５は、筐体１６のうち観察者側の面である正面に形成されている。スクリーン１５は、投写レンズ１２及びミラー１３を経た入射光を透過させる透過型スクリーンである。スクリーン１５は、ミラー１３から斜めに入射する光を観察者の方向へ角度変換する不図示の角度変換部を有する。角度変換部としては、フレネルレンズを用いることができる。
【００２６】
図３は、スクリーン１５の要部断面構成を示す。スクリーン１５は、第１液晶層３３及び第２液晶層３７を有する。第１液晶層３３及び第２液晶層３７は、入射光を散乱させる散乱部である。第１液晶層３３及び第２液晶層３７は、いずれもスクリーン１５面である二次元方向に沿って設けられている。第１液晶層３３は、第１の位置で入射光を散乱させる第１散乱層である。第２液晶層３７は、第２の位置で入射光を散乱させる第２散乱層である。第２の位置は、スクリーン１５面に略直行する方向について第１の位置とは異なる位置であって、第１の位置より出射側の位置である。
【００２７】
第１液晶層３３は、第１電極３２及び第２電極３４に挟持されている。第１電極３２、第２電極３４は、第１液晶層３３へ電圧を印加する。第１電極３２及び第２電極３４は、例えば金属酸化物であるＩＴＯやＩＺＯにより構成することができる。第１電極３２及び第２電極３４には、電力供給部４０が接続されている。第２液晶層３７は、第１電極３６及び第２電極３８に挟持されている。第１電極３６、第２電極３８は、第２液晶層３７へ電圧を印加する。第１電極３６及び第２電極３８は、例えば金属酸化物であるＩＴＯやＩＺＯにより構成することができる。第１電極３６及び第２電極３８には、電力供給部４１が接続されている。
【００２８】
第１液晶層３３側の第２電極３４と第２液晶層３７側の第１電極３６との間には、絶縁性の中間基板３５が設けられている。中間基板３５は、透明部材により構成されている。第１液晶層３３側の第１電極３２から第２液晶層３７側の第２電極３８までの各層は、第１基板３１及び第２基板３９により挟持されている。第１基板３１及び第２基板３９は、透明部材により構成されている。この他、スクリーン１５は、光を拡散させるレンチキュラーレンズアレイやマイクロレンズアレイ等を設けることとしても良い。
【００２９】
図４は、第１液晶層３３の概略断面構成を示す。第１液晶層３３は、液晶分子４５を分散させる。液晶分子４５は、粒子４４に封入された状態で第１液晶層３３中に分散している。粒子４４、及び粒子４４を分散させる媒体は、２つの液晶用基板４２、４３により挟持されている。液晶用基板４２、４３は、透明部材により構成されている。液晶用基板４２、４３としては、例えばガラス板や透明フィルムを用いることができる。
【００３０】
液晶分子４５の配向は、電圧印加のパターンに応じて変化する。例えば、液晶分子４５は、第１液晶層３３への電圧の印加により電場の方向を向くように配向する性質を有する。第１液晶層３３への電圧の印加を停止させると、図４に示すように液晶分子４５はランダムな配向状態となる。第１液晶層３３は、液晶分子４５がランダムな配向状態であるとき、粒子４４と媒体とが互いに異なる屈折率となるように構成されている。粒子４４と媒体とが互いに異なる屈折率であるとき、第１液晶層３３へ入射した光は、粒子４４と媒体との界面での屈折により散乱する。このように、第１液晶層３３は、電圧の印加を停止させることにより、第１液晶層３３を透過する光を散乱させる。
【００３１】
第１液晶層３３へ電圧を印加すると、図５に示すように、液晶分子４５は、第１液晶層３３に対して略垂直な方向に沿うように配向が揃えられる。第１液晶層３３は、液晶分子４５の配向が揃えられた状態であるとき、液晶分子４５がランダムな配向状態であるときと比較して粒子４４と媒体の屈折率差が小さくなる。粒子４４と媒体との屈折率差が小さい場合、第１液晶層３３における光の散乱は抑制される。このように、第１液晶層３３は、電圧の印加により、散乱が低減された光を出射させる。第１液晶層３３は、電圧の印加の停止、及び電圧の印加を繰り返すことにより、光を散乱させる状態と、光を殆ど散乱させない状態とに変化する。第２液晶層３７は、第１液晶層３３と同様の構成を有する。
【００３２】
図６及び図７は、散乱部における入射光の散乱について説明するものである。第１液晶層３３への電圧の印加を停止させるとき、図６に示すように、入射光は、第１液晶層３３が設けられている第１の位置で散乱する。このとき第２液晶層３７へ電圧を印加すると、第１液晶層３３からの光は、第２液晶層３７が設けられている第２の位置をそのまま透過する。
【００３３】
第１液晶層３３へ電圧を印加すると、図７に示すように、入射光は、第１の位置をそのまま透過する。このとき第２液晶層３７への電圧の印加を停止させるとき、第１液晶層３３からの光は、第２の位置で散乱する。このように、第１液晶層３３及び第２液晶層３７について、電圧の印加と電圧印加の停止とを交互に行う。電圧の印加と電圧印加の停止とを交互に行うことにより、散乱部は、第１液晶層３３及び第２液晶層３７で入射光を交互に散乱させる。このようにして、散乱部は、第１の位置と第２の位置とで、入射光を散乱させる位置を変化させる。
【００３４】
散乱部に略直交する方向について入射光を散乱させる位置を変化させることにより、特定の１箇所において入射光の散乱及び透過を繰り返す場合と比較して、散乱の状態をランダムに変化させることができる。散乱の状態をランダムに変化させることにより、スペックルの十分な低減を図ることが可能となる。散乱部は、例えば、電気的な駆動手段を用いる液晶層を用いる構成とすることができる。このため、大掛かりな機構や複雑な構成を用いることなくスペックルの低減を図れる。これにより、簡易な構成によりスペックルを十分に低減させることができるという効果を奏する。
【００３５】
第１液晶層３３及び第２液晶層３７は、電圧を印加するときに光を散乱させ、かつ電圧の印加を停止させるときに光の散乱を抑制させるものとしても良い。この場合も、電圧の印加と電圧印加の停止とを交互に行うことで、入射光を散乱させる位置を変化させることができる。第１液晶層３３及び第２液晶層３７における電圧の印加、電圧の印加の停止の切り換えは、例えば、１秒間に６０回以上行うことが望ましい。これにより、人間が特定のスペックルパターンを認識するよりも早くスペックルパターンを変化させ、スペックルの十分な低減が可能となる。スクリーン１５は、２つの液晶層３３、３７を有する構成に限らず、３つ以上の液晶層を有する構成としても良い。これにより、さらにスペックルを低減させることができる。
【実施例２】
【００３６】
図８は、本発明の実施例２に係るスクリーン５０の要部断面構成を示す。スクリーン５０は、上記実施例１のプロジェクタ１０に適用することができる。上記実施例１のスクリーン１５と同一の部分には同一の符号を付し、重複する説明は省略する。本実施例のスクリーン５０は、散乱板５１を有する。散乱板５１及び第１液晶層３３は、入射光を散乱させる散乱部である。第１液晶層３３は、第１の位置で入射光を散乱させる第１散乱層である。散乱板５１は、第２の位置で入射光を散乱させる第２散乱層である。第２の位置は、スクリーン１５面に略直行する方向について第１の位置とは異なる位置であって、第１の位置より入射側の位置である。
【００３７】
散乱板５１は、スクリーン５０の入射面に設けられている。散乱板５１は、入射光を散乱させる。散乱板５１は、光を散乱させる散乱剤を分散させる構成や、微小な凹凸を施した散乱面を有する構成とすることができる。散乱板５１と第１電極３２との間には第１基板５２が設けられている。第１基板５２は透明部材により構成されている。なお、第１基板５２を設けず第１電極３２の入射側に直接散乱板５１を設ける構成としても良い。
【００３８】
入射光は、散乱板５１が設けられた第２の位置で散乱する。また、第１液晶層３３への電圧の印加を停止させると、散乱板５１からの光は、第１液晶層３３が設けられている第１の位置でも散乱する。第１液晶層３３へ電圧を印加すると、図９に示すように、第２の位置で散乱した散乱板５１からの光は、第１液晶層３３が設けられている第１の位置をそのまま透過する。散乱部は、散乱板５１及び第１液晶層３３で入射光を散乱させる状態と、散乱板５１のみで入射光を散乱させる状態とに交互に変化させる。このように、散乱部は、第１の位置及び第２の位置で同時に入射光を散乱させる状態と、第２の位置で入射光を散乱させる状態とに交互に変化させる。本実施例の場合も、簡易な構成によりスペックルを十分に低減させることができる。散乱板５１は、第１液晶層３３の入射側に設ける構成に限られず、第１液晶層３３の出射側に設ける構成としても良い。
【００３９】
図１０は、本実施例の変形例に係るスクリーン６０の要部断面構成を示す。本変形例のスクリーン６０は、２つの散乱板５１、６１を有することを特徴とする。スクリーン６０は、上記のスクリーン５０（図８参照）の構成に散乱板６１を追加したものである。散乱板６１は、スクリーン６０の出射面に設けられている。第１液晶層３３は、２つの散乱板５１、６１の間に設けられている。
【００４０】
第１液晶層３３へ電圧を印加すると、入射光は、２つの散乱板５１、６１でそれぞれ散乱する。第１液晶層３３への電圧の印加を停止させると、図１１に示すように、入射光は、散乱板５１、第１液晶層３３及び散乱板６１でそれぞれ散乱する。２つの散乱板５１、６１を有する構成とすることで、さらにスペックルを低減させることができる。スクリーン６０は、２つの散乱板５１、６１を有する構成に限らず、３つ以上の散乱板を有する構成としても良い。
【００４１】
なお、実施例１及び実施例２において、第１電極及び第２電極は、液晶層の全面に一様に設ける場合に限られない。複数の第１電極、第２電極を設ける構成としても良い。例えば、図１２に示す第１電極７１、第２電極７２は、短冊形状を有する。４つの第１電極７１は、第１の方向に長手方向を有する短冊形状をなし、かつ第２の方向に並列されている。第２の方向は、第１の方向に略直交する方向である。４つの第２電極７２は、第２の方向に長手方向を有する短冊形状をなし、かつ第１の方向に並列されている。
【００４２】
第１電極７１及び第２電極７２への電圧印加を適宜制御することにより、第１液晶層３３における入射位置ごとの散乱状態を変化させることが可能となる。入射位置ごとの散乱状態を変化させることにより、スペックルパターンを複雑に変化させることができる。これにより、さらにスペックルの低減ができる。なお、第１電極７１、第２電極７２は、互いに略直交するように配置されれば良く、数及び形状は図示するものに限られない。
【実施例３】
【００４３】
図１３は、本発明の実施例３に係るスクリーン８１について説明するものである。本実施例のスクリーン８１は、プロジェクタ８０からの入射光を反射させる反射型スクリーンである。上記実施例１と同一の部分には同一の符号を付し、重複する説明は省略する。プロジェクタ８０は、スクリーン８１で反射する光を観察することで画像を鑑賞する、いわゆるフロント投写型のプロジェクタである。プロジェクタ８０は、光学エンジン部１１及び投写レンズ１２を有する。
【００４４】
図１４は、スクリーン８１の要部断面構成を示す。スクリーン８１は、上記のスクリーン１５（図３参照）の構成に反射部８２を追加したものである。反射部８２は、スクリーン８１のうちプロジェクタ８０側とは反対側の面に設けられている。第１液晶層３３、第２液晶層３７を順次透過した光は、反射部８２で反射する。反射部８２で反射した光は、第２液晶層３７、第１液晶層３３を順次透過した後、第１基板３１から出射する。
【００４５】
本実施例においても、簡易な構成によりスペックルを十分に低減させることができる。上記実施例１の場合、第１液晶層３３、第２液晶層３７に１回ずつ光を透過させるのに対して、本実施例の場合、第１液晶層３３、第２液晶層３７に２回ずつ光を透過させる。このため、本実施例の場合、効率良くスペックルを低減させることができる。
【産業上の利用可能性】
【００４６】
以上のように、本発明に係るスクリーンは、プロジェクタによる画像を表示する場合に適している。
【図面の簡単な説明】
【００４７】
【図１】本発明の実施例１に係るプロジェクタの概略構成を示す図。
【図２】光学エンジン部の概略構成を示す図。
【図３】スクリーンの要部断面構成を示す図。
【図４】第１液晶層の概略断面構成を示す図。
【図５】液晶分子の配向が揃えられた状態について説明する図。
【図６】散乱部における入射光の散乱について説明する図。
【図７】散乱部における入射光の散乱について説明する他の図。
【図８】本発明の実施例２に係るスクリーンの要部断面構成を示す図。
【図９】散乱部における入射光の散乱について説明する図。
【図１０】実施例２の変形例に係るスクリーンの要部断面構成を示す図。
【図１１】散乱部における入射光の散乱について説明する図。
【図１２】複数の第１電極、第２電極を設ける構成について説明する図。
【図１３】本発明の実施例３に係るスクリーンについて説明する図。
【図１４】スクリーンの要部断面構成を示す図。
【符号の説明】
【００４８】
１０  プロジェクタ、１１  光学エンジン部、１２  投写レンズ、１３  ミラー、１５  スクリーン、１６  筐体、２０Ｒ  Ｒ光用光源部、２０Ｇ  Ｇ光用光源部、２０Ｂ  Ｂ光用光源部、２１  発散レンズ、２２  コリメータレンズ、２４  第１インテグレータレンズ、２５  第２インテグレータレンズ、２６  偏光変換素子、２７  重畳レンズ、２８  フィールドレンズ、２９Ｒ  Ｒ光用空間光変調装置、２９Ｇ  Ｇ光用空間光変調装置、２９Ｂ  Ｂ光用空間光変調装置、３０  クロスダイクロイックプリズム、３０ａ  第１ダイクロイック膜、３０ｂ  第２ダイクロイック膜、３１  第１基板、３２  第１電極、３３  第１液晶層、３４  第２電極、３５  中間基板、３６  第１電極、３７  第２液晶層、３８  第２電極、３９  第２基板、４０、４１  電力供給部、４２、４３  液晶用基板、４４  粒子、４５  液晶分子、５０  スクリーン、５１  散乱板、５２  第１基板、６０  スクリーン、６１  散乱板、７１  第１電極、７２  第２電極、８０  プロジェクタ、８１  スクリーン、８２  反射部
【図１】
2008076483.tif 000003
【図２】
2008076483.tif 000004
【図３】
2008076483.tif 000005
【図４】
2008076483.tif 000006
【図５】
2008076483.tif 000007
【図６】
2008076483.tif 000008
【図７】
2008076483.tif 000009
【図８】
2008076483.tif 000010
【図９】
2008076483.tif 000011
【図１０】
2008076483.tif 000012
【図１１】
2008076483.tif 000013
【図１２】
2008076483.tif 000014
【図１３】
2008076483.tif 000015
【図１４】
2008076483.tif 000016